(57)【要約】【課題】  安全かつ容易で、作業スペースを最小とする管閉塞具、配管末端部材及び供給管の配管方法を提供する。【解決手段】  弾性体から略円筒状のシール部１０と、シール部１０の一端に当接する鍔部３７が形成されシール部１０を貫通するように延長される支持棒３０と、支持棒３０の延長された側に支持されシール部１０の他端側を圧縮するように付勢する付勢手段２０とからなり、さらに支持棒３０には鍔部３７から延長された取手部３８とからなる管閉塞具１を、一端が閉塞された管部材５２に挿入した配管末端部材５０を土地所有区分の異なる境界近傍に設けることでなる。【選択図】        図３
2008281070.tif 000002
【特許請求の範囲】
【請求項１】
弾性体からなるシール部と、前記シール部の一端に当接する鍔部が形成され前記シール部を貫通するように延長される支持棒と、前記支持棒の延長された側に支持され前記シール部の他端側を圧縮するように付勢する付勢手段とからなり、さらに前記支持棒には前記鍔部から延長された取手部が形成されていることを特徴とする管閉塞具。
【請求項２】
前記付勢手段は前記シール部を拡径するように付勢するとともに、前記付勢手段に圧縮力が作用すると、前記シール部が縮径されることを特徴とする請求項１に記載の管閉塞具。
【請求項３】
請求項１又は２のいずれかに記載の管閉塞具を内蔵した管部材の前記管閉塞具の取手部が向けられた側の管端を閉塞したことを特徴とする配管末端部材。
【請求項４】
請求項３に記載の配管末端部材が末端に接続された配管において、
前記管閉塞具の取手部を臨むように前記配管末端部材の管端を開口する工程と、
前記取手部に紐部材を接続する工程と、
前記配管にスクイズオフ用短管を接続する工程と、
前記管閉塞具を前記スクイズオフ用短管の端部付近まで引抜き、移動させる工程と、
前記スクイズオフ短管を押し潰し、閉塞する工程と、
前記管閉塞具を除去し、下流側の配管を接続する工程とからなることを特徴とする供給管の配管方法。
【発明の詳細な説明】
【技術分野】
【０００１】
本発明は、配管部材の端部構造に関し、特には、既設の供給管末端部に新たな配管を接続するための既設管側の配管末端部材、これに内蔵される管閉塞具、及び供給管の配管方法に関する。
【背景技術】
【０００２】
ガス管等の既設流通配管の下流側に新たな配管を新設する場合には、その下流側に分岐継手（ガス配管ではサービスチーと称するもの）を接続し、この分岐継手の接続端に新たな配管を接続する工法が一般になされている。
一方、地下に埋設された配管では土地の所有区分に応じて配管の資産区分が分かれていることが多く、ガス配管を例にすると、公道下に埋設された配管はガス会社法人の資産であるが、その公道に隣接する民地内に埋設される配管はその土地の所有者個人の資産になる。したがって、公道下の配管から分岐して民地内に配管する場合には、公道と民地との地境で配管の資産区分が変わることになるが、このような事情では、一本の配管を下流側に向けて延設する際に、資産区分毎に工事業者や工事時期が異なる事態が生じることになり、上流側から敷設した配管を地境付近で一旦区切って端部を遮断し、別途その端部に新たな配管を接続する先継ぎ工事が行われることになる。
【０００３】
また、このような資産区分の事情に拘わらず、上流側から下流側に配管の延長がなされることが予想される場合には、その途中まで配管を施すか或いは予め分岐継手を接続しておいて、それらの端部をガス遮断バッグ等を用いて一旦は遮断しておき、然るべき後にその端部に新たな配管が接続されることもある。
このような従来工法によると、接続の際に、上流側の配管における端部付近に遮断バッグを挿入する必要があるので、そのために必要な長さの作業スペースを確保しなければならない。そうすると、前述した土地の所有区分における地境付近で接続作業を行うためには、下流側の所有地（公道と民地の地境では民地側）内に長さ分だけ配管端部が入り込まざるを得ず、上流側の配管所有者の立場からすれば、余分な配管施工を強いられることになる。また、他人の所有地内での作業を行うことになるので自由に作業計画を立てることができないという不都合が生じることになる。また、他人の所有地での掘削が出来ない場合で、後日、配管工事の希望があった場合、再度公道を掘削しなければならず、工事費用が発生することになる。
【０００４】
このような事情に対処するために、特許文献１には、上流側の既設配管部材の端部に新たな配管端部を接続するための前記配管部材の端部構造において、前記配管部材の端部内に該端部を遮断する気密膜を設け、該気密膜は、前記接続後の接続部に形成された除去孔を介して、線状に破断して排除可能とした技術が記載されている。この技術によれば、現場での接続作業において遮断バッグの挿入除去を行う必要が無くなり、作業が簡略化されると共に、遮断バッグを挿入するための配管部材の端部スペースが不要になり、埋設配管の土地所有区分における地境付近の接続作業では、上流側の配管部材の端部が下流側の土地に入り込む長さを極力短くすることができる、とされている。
【０００５】
【特許文献１】特開２００５−１４７３４８号公報
【発明の開示】
【発明が解決しようとする課題】
【０００６】
しかしながら、渦巻状の非断部を内蔵した気密膜を形成することは容易ではなく、また非断部に連結した除去操作紐を管路外部へ取り出すための特殊な接続具（管継手）を必要とするという問題があった。また、渦巻状の気密膜では除去時に、ガス漏れが発生するために、気密膜を管路外部への取り出す際に管継手部を覆う遮断バック（ノーブローバック）での作業が必要となる。しかし、民地内の作業においては、作業スペースが十分確保されない場合があり、作業性の低下する問題があった。
【０００７】
従って本発明の目的は、従来の既設配管に新設配管を接続する工法の問題点を解決し、安全かつ容易で、作業スペースを最小とする管閉塞具、配管末端部材及び供給管の配管方法を提供することである。
【課題を解決するための手段】
【０００８】
上記目的を達成するために、本発明の管閉塞具は、弾性体からなるシール部と、前記シール部の一端に当接する鍔部が形成され前記シール部を貫通するように延長される支持棒と、前記支持棒の延長された側に支持され前記シール部の他端側を圧縮するように付勢する付勢手段とからなり、さらに前記支持棒には前記鍔部から延長された取手部が形成されていることを特徴とするものである。
【０００９】
また本発明の管閉塞具の前記付勢手段は前記シール部を拡径するように付勢するとともに、前記付勢手段に圧縮力が作用すると、前記シール部が縮径されることを特徴とするものである。
【００１０】
さらに本発明は、請求項１又は２のいずれかに記載の管閉塞具を内蔵した管部材の前記管閉塞具の取手部が向けられた側の管端を閉塞した配管末端部材である。
【００１１】
また本発明は、請求項３に記載の配管末端部材が末端に接続された配管において、前記管閉塞具の取手部を臨むように前記配管末端部材の管端を開口する工程と、前記取手部に紐部材を接続する工程と、前記配管にスクイズオフ用短管を接続する工程と、前記管閉塞具を前記スクイズオフ用短管の端部付近まで引抜き、移動させる工程と、前記スクイズオフ短管を押し潰し、閉塞する工程と、前記管閉塞具を除去し、下流側の配管を接続する工程とからなる供給管の配管方法である。
【発明の効果】
【００１２】
本発明の管閉塞具によれば弾性体からなるシール部と、前記シール部の一端に当接する鍔部が形成され前記シール部を貫通するように延長される支持棒と、前記支持棒の延長された側に支持され前記シール部の他端側を圧縮するように付勢する付勢手段とからなり、さらに前記支持棒には前記鍔部から延長された取手部が形成されている構成であるので、管閉塞時にはシール部が拡径して管を安全で容易に閉塞することができ、また管閉塞具を取外すときには、取手部に引張り力を加えるとシール部が縮径方向に変形し容易に取外すことができる。
【００１３】
また、本発明の供給管の配管方法によれば、配管末端部材を上流側配管の末端に接続しておけば、配管末端部材に新設配管を接続する工事は、上流側の土地所有区分の都合に関わらず、配管末端部材を設けた後のいずれの日にでも行うことができ、且つ下流側での工事作業スペースを最小限にすることができる。
【発明を実施するための最良の形態】
【００１４】
以下本発明の詳細を図面に基づいて説明する。
図１は本発明の実施の形態に係わる管閉塞具の断面図、図２は本発明の実施の形態に係わる管閉塞具の他の例を示す断面図、図３は本発明の実施の形態に係わる配管末端部材の概略断面図、図４は管閉塞具の動作を示す断面模式図、図５は本発明の配管末端部材を既設管と接続する工程を表す模式断面図、図６は本発明の配管末端部材と新設配管部材とを接続する工程を表す模式断面図を示している。
【００１５】
図１に示すように管閉塞具１は、弾性体からなるシール部１０と、シール部１０の一端に当接する鍔部３７が形成され、シール部１０を貫通するように延長される支持棒３０と、支持棒３０の延長された側に支持されシール部１０の他端を圧縮するように付勢するコイルスプリング２０（付勢手段）とからなっている。そして、鍔部３７から延長された部分には取手部３８が形成されており、取手部３８には開口孔３９が設けられている。また、支持棒３０には溝３２が形成されており、この溝３２に嵌合する止め輪３４とガイドリング３６とを介して、支持棒３０はコイルスプリング２０に圧縮力を付加している。
【００１６】
そして、支持棒３０のスライド部３３には押圧リング３５が軸方向に摺動自在に設けられている。シール部１０は、自由長の状態では、略円筒状の形状の弾性体であり、コイルスプリング２０の付勢力を押圧リング３５を介して受け、圧縮されることによって球殻状に拡径している。
【００１７】
また管閉塞具は、図２に示すように構成することもできる。すなわち管閉塞具１aは、弾性体からなるシール部１０aと、シール部１０ａの一端に当接する鍔部３７ａが形成され、シール部１０ａを貫通するように延長される支持棒３０ａと、支持棒３０ａの延長された側に支持されシール部１０ａの他端を圧縮するように付勢する弾性部２０ａ（付勢手段）とからなっている。そして、鍔部３７ａから延長された部分には取手部３８ａが形成されており、取手部３８ａには開口孔３９ａが設けられている。また、支持棒３０ａには溝３２ａが形成されており、この溝３２ａに嵌合する止め輪３４ａとガイドリング３６ａとを介して、支持棒３０ａは弾性部２０ａに圧縮力を付加している。
【００１８】
そして、支持棒３０ａのスライド部３３ａと弾性部２０ａとは軸方向に摺動自在に設けられている。シール部１０ａは、自由長の状態では、略円筒状の形状の弾性体であり、弾性部２０ａの付勢力を受け、圧縮されることによって球殻状に拡径している。
【００１９】
シール部１０、１０ａは、例えばニトリルゴム（ＮＢＲ）、エチレン−プロピレン・ジエン系ゴム（ＥＰＤＭ）、クロロプレンゴム（ＣＲ）などで形成することができるが、流体が都市ガス等のガス流体である場合にはガスの透過性を考慮してニトリルゴムを、流体が水道水のような場合には耐塩素性を考慮してエチレン−プロピレン・ジエン系ゴムを選択することが好ましい。特にシール部材１０、１０aの弾性力を考慮して、その硬度は５０前後に設定することが望ましい。また、支持棒３０、３０ａは、金属材料を選択することができるが、より軽量にするために、ポリアセタール（ＰＯＭ）等の合成樹脂材料を選択することが好ましい。
【００２０】
図３に示すように、配管末端部材５０は、管閉塞具１を管部材５２に内挿し、管閉塞具１の取手部３８側を閉塞部５４にて気密に閉塞している。このとき例えば管部材５２の内径はφ３３．６ｍｍで、管閉塞具１のシール部１０はコイルスプリング２０の付勢力を受け拡径するように変形し、管部材５２の内径を気密にシールしている。（図４（ａ）参照）
【００２１】
しかして、図４（ｂ）に示すように、管閉塞具１は、取手部３８を引っ張ることで、コイルスプリング２０には圧縮力が付加される。一方、シール部１０は管部材５２の内面に接し摩擦力によって移動を阻害されるので、コイルスプリング２０は軸方向に収縮する。すると、シール部１０の一端側の端部１０１と支持棒３０の当接面３７１との間に間隙ｇができる。そして、図４（ｃ）に示すように、間隙ｇを埋めるようにシール部１０が伸長して、シール部１０を拡径するように付加されていた圧縮力が緩和され、シール部１０の外径が収縮するように変形する。つまり、管部材５２の内周面を管閉塞具１がシールしている状態では、コイルスプリング２０は前記シール部を拡径するように付勢しており、管閉塞具１の取手部３８を引っ張ると、コイルスプリング２０には圧縮力が作用し、シール部１０が縮径されるので、管閉塞具１は配管末端部材の軸方向に移動させることができる。この作用は、コイルスプリング２０を弾性部２０ａに置き換えた管閉塞具１ａにおいても同様である。
【００２２】
また、配管末端部材５０の管部材５２は、例えばガス用ポリエチレン管（ＪＩＳ  Ｋ  ６７７４）に規定する材料及び内外径寸法で製作することができる。管部材５２と閉塞部５４とは一体に成形されることが好ましいが、管部材５２がガス用ポリエチレン管を適当な長さに切断したものを用い、管部材５２の端部にキャップ状の部材を融着接続してもよい。
【００２３】
次に、本発明の供給管の配管方法について、本支管に新設配管を接続する場合について説明する。まず、図５（ａ）に示すように、分岐継手７２を設ける部位の本支管７０が露出するように立坑８０を掘削する。そして、図５（ｂ）に示すように、露出した本支管７０に分岐継手７２を接続する。そして、図５（ｃ）に示すように閉塞部５４を先端側にして配管末端部材５０を分岐継手７２の分岐口周辺付近から土砂内に挿入する。なお、地境Ｔより上流側の土地の所有区分内の地境側端部の路上には側溝８２が敷設され、配管末端部材５０の先端は、地境Ｔに一致する位置か或いは若干民地側に入り込んだ状態とすることが好ましい。そして、図５（ｄ）に示すように、土砂内に挿入された配管末端部材５０の一端部を接続継手７４等を用いて分岐継手７２と接続する。
【００２４】
そして、図６（ａ）に示すように、配管末端部材５０が土砂内に挿入された状態から、図６（ｂ）に示すように配管末端接続部材５０の閉塞部５４を切断して管部材５２を開口させ、内部の管閉塞具１の取手部３８を臨ませる。そして、取手部３８の開口孔３９に紐部材７５を接続しておき、管部材５２に合成樹脂材料製（例えば、ポリエチレン等）の連結管７６を接続する。そして、紐部材７５を引張り、管閉塞具１を連結管７６の端部にまで移動させる。紐部材７５は、開口孔３９に結びつけるように接続しても良いし、先端にフック状の係止部を設けたワイヤ状とし、係止部を開口孔３９に係止させても良い。
【００２５】
さらに、図６（ｃ）に示すように、管閉塞具１より上流側の連結管７６を押し潰し（スクイズオフ、ともいう）て、連結管７６内の流体の流通を遮断する。そして、図６（ｄ）に示すように管閉塞具１を紐部材７５を介して連結管７６から抜脱する。そして図６（ｅ）に示すように連結管７６の先端部に新設配管部材７８を接続し、スクイズオフを解除して新設配管部材７８は、新たな接続継手７４を用いて、連結管７６および配管末端部材５０を介して本支管７０に接続されることとなる。
【００２６】
このように、本発明の供給管の配管方法は、管閉塞具１が挿入された配管末端部材５０の先端が地境Ｔの近傍に位置するように配管末端部材５０が地境Ｔより上流側の土地所有区分内に設けられるので、新設配管部材７８を分岐継手７２に接続する場合には、配管末端部材５０を上流側の土地所有区分内に設けた後に、地境Ｔより下流側の土地所有区分内から新設配管部材７８を接続すればよい。つまり、配管末端部材５０を分岐継手７２に接続する工事は、地境Ｔよりも上流の土地所有区分内で行うことができ、地境Ｔよりも下流の土地所有区分の事情に関わりなく行うことができる。また、事前に配管末端部材５０を分岐継手７２に接続する工事を行っておけば、地境Ｔより下流の土地所有区分内において新設配管部材７８の接続工事は、地境Ｔより上流の土地所有区分の事情に関わりなく行うことができる。したがって、施工者は自由な工事作業計画を立てることができる。
【００２７】
また、本発明の供給管の配管方法は、新設配管部材７８を配管末端部材５０に接続させる際に、管閉塞具１の移動と連結管７６のスクイズオフで流体の流通の遮断が可能であるので、ガス遮断バッグの使用を不要にすることができ、作業の安全性を高めることができるとともに狭い作業スペースでの施工が可能となる。
【図面の簡単な説明】
【００２８】
【図１】本発明の実施の形態に係わる管閉塞具の概略断面図である。
【図２】本発明の実施の形態に係わる管閉塞具の他の例を示す断面図である。
【図３】本発明の実施の形態に係わる配管末端部材の概略断面図である。
【図４】管閉塞具の動作を示す断面模式図である。
【図５】本発明の配管末端部材を既設管と接続する工程を表す模式断面図である。
【図６】本発明の配管末端部材と新設配管部材とを接続する工程を表す模式断面図である。
【符号の説明】
【００２９】
１、１a：管閉塞具、
１０、１０a：シール部、１０１、１０１ａ：端部、
２０：コイルスプリング（付勢手段）、２０a：弾性部（付勢手段）、
３０、３０a：支持棒、３２、３２a：溝、３３、３３ａ：スライド部、３４、３４a：止め輪、３５：押圧リング、３６、３６a：ガイドリング、３７、３７ａ：鍔部、３７１、３７１ａ：当接面、３８、３８a：取手部、３９、３９a：開口孔
５０：配管末端部材、５２：管部材、５４：閉塞部、
７０：本支管、７２：分岐継手、７４：接続継手、７５：紐部材、７６：連結管（スクイズオフ用短管）、７８：新設配管部材、
８０：立坑、８２：側溝
【図１】
2008281070.tif 000003
【図２】
2008281070.tif 000004
【図３】
2008281070.tif 000005
【図４】
2008281070.tif 000006
【図５】
2008281070.tif 000007
【図６】
2008281070.tif 000008